(57)【要約】【課題】摩擦力によることなく、昇降体の昇降中常にガイドレールに潤滑油を給油することができる昇降機のガイドレール給油装置の提供。【解決手段】昇降機、例えばエレベータに配置されるものであって、潤滑油９を貯蔵する油槽部２ａと、昇降路内に立設されたガイドレール１に摺接してこのガイドレール１の摺接面に潤滑油９を塗布する油塗布部材４を有する油塗布部材収納部２ｂと、油槽部２ａから油塗布部材収納部２ｂへ潤滑油９を供給する駆動部１ａとを備え、この駆動部１ａは、一端を油槽部２ａに貯蔵された潤滑油９に浸して油槽部２ａから油塗布部材収納部２ｂへ渡り配置されたパイプ部材５と、昇降体の昇降に伴って生じる風８に応じてパイプ部材５を通して油槽部２ａの潤滑油９を油塗布部材収納部２ｂへ供給する油供給手段とを含んでいる。【選択図】図１
2011020772.tif 000002
【特許請求の範囲】
【請求項１】
昇降路内に立設されたガイドレールと、このガイドレールに案内されて昇降する昇降体とを備えた昇降機に適用され、潤滑油を貯蔵する油槽部と、前記ガイドレールに摺接してこのガイドレールの摺接面に前記潤滑油を塗布する油塗布部材を有する油塗布部材収納部と、前記油槽部から前記油塗布部材収納部へ前記潤滑油を供給する駆動部とを備え、前記昇降体に設けられて前記ガイドレールに前記潤滑油を供給する昇降機のガイドレール給油装置において、
前記駆動部は、一端を前記油槽部に貯蔵された前記潤滑油に浸して前記油槽部から前記油塗布部材収納部へ渡り配置されたパイプ部材と、前記昇降体の昇降に伴って生じる風に応じて前記パイプ部材を通して前記油槽部の前記潤滑油を前記油塗布部材収納部へ供給する油供給手段とを含むことを特徴とする昇降機のガイドレール給油装置。
【請求項２】
請求項１に記載の昇降機のガイドレール給油装置において、
前記油供給手段は、前記パイプ部材内に配置されたロッドと、このロッドに巻き掛けられた螺旋部と、前記風を受けて前記ロッドを回転させるプロペラとを有することを特徴とする昇降機のガイドレール給油装置。
【請求項３】
請求項２に記載の昇降機のガイドレール給油装置において、
前記油塗布部材収納部と前記油槽部とを仕切りを介して一体型としたホルダ部を有し、前記プロペラを前記ホルダ部の上方に配置すると共に、前記ロッドの上端部に取り付けたことを特徴とする昇降機のガイドレール給油装置。
【請求項４】
請求項２に記載の昇降機のガイドレール給油装置において、
前記油塗布部材収納部と前記油槽部とを仕切りを介して一体型としたホルダ部を有し、前記プロペラを前記ホルダ部の投影面の側方に配置すると共に、前記プロペラの回転を前記ロッドに伝達する駆動伝達部を備えたことを特徴とする昇降機のガイドレール給油装置。
【発明の詳細な説明】
【技術分野】
【０００１】
本発明は、昇降体に設けられ、ガイドレールに潤滑油を供給するエレベータ等の昇降機のガイドレール給油装置に関するものである。
【背景技術】
【０００２】
図３は従来のエレベータのガイドレール給油装置の構成を示す図である。
【０００３】
一般的に、エレベータの昇降体、すなわち乗りかごは上部と下部の側面に設けられたガイドシューを昇降路内に設けられたガイドレールに案内させて昇降路内を昇降している。昇降路内のガイドレールには、乗りかごの移動をスムーズにするために潤滑油が塗布されており、従来より各種の方法を用いて供給される。この方法の１つとして、例えば特許文献１に開示されたエレベータのガイドレール給油装置による給油が知られている。
【０００４】
図３に示すように、この従来のエレベータのガイドレール給油装置は、昇降路内に立設されたガイドレール１と、このガイドレール１にガイドシュー１１を案内させて昇降する乗りかご２０と、給油パイプ１８を介してガイドシュー１１に供給する潤滑油９を貯蔵する油槽部１６と、ガイドシュー１１の先端に設けられ、油槽部１６を支持する支持板２２とを備えている。
【０００５】
さらに、このガイドレール給油装置は、ガイドシュー１の上方に配置されてガイドレール１に摺動する摺動体１２と、一端に摺動体１２が設けられ、中央に回転軸２１を有してこの軸線周りに回転するアーム１３と、このアーム１３の他端を支持するコネクティングロッド１４と、このコネクティングロッド１４を可動に支えるピン１７と、この油槽部１６と給油パイプ１８との間に設けられ、ピン１７が動くことで開く油弁１５とを備えている。
【０００６】
このように構成されるガイドレール給油装置は、ガイドレール１の潤滑油９が不足しているときに乗りかご２０が上昇することにより、摺動体１２がガイドレール１から摩擦力を受けて下方に下がる。そして、アーム１３が反時計回りに回転してコネクティングロッド１４が上方へ動くと、ピン１７が動作して油弁１５が開く。これにより、油槽部１６から給油パイプ１８を通って潤滑油９がガイドシュー１１に供給される。
【先行技術文献】
【特許文献】
【０００７】
【特許文献１】実開昭６１−１０５３７４号公報
【発明の概要】
【発明が解決しようとする課題】
【０００８】
この従来のエレベータのガイドレール給油装置は、上述したように摺動体１２がガイドレール１から摩擦力を受けることにより油弁１５が開いて潤滑油９がガイドシュー１１に供給されるようになっているので、この摩擦力が静止摩擦力から動摩擦力に変わったときにその反動により摺動体１２が振動し、油弁１５が開閉を繰り返す。そのため、ガイドレール１に沿って潤滑油９が適切に供給された部分と供給されていない部分が生じることにより、ガイドシュー１１がガイドレール１から受ける摩擦力で乗りかご２０が昇降中に振動したり、あるいは異常音を発生させる虞がある。また、この摺動体１２が振動することにより、摺動体１２自体が異常音を発生させる虞がある。
【０００９】
本発明は、このような従来技術の実情からなされたもので、その目的は、摩擦力によることなく、昇降体の昇降中常にガイドレールに潤滑油を給油することができる昇降機のガイドレール給油装置を提供することにある。
【課題を解決するための手段】
【００１０】
上記の目的を達成するために、本発明の昇降機のガイドレール給油装置は、昇降路内に立設されたガイドレールと、このガイドレールに案内されて昇降する昇降体とを備えた昇降機に適用され、潤滑油を貯蔵する油槽部と、前記ガイドレールに摺接してこのガイドレールの摺接面に前記潤滑油を塗布する油塗布部材を有する油塗布部材収納部と、前記油槽部から前記油塗布部材収納部へ前記潤滑油を供給する駆動部とを備え、前記昇降体に設けられて前記ガイドレールに前記潤滑油を供給する昇降機のガイドレール給油装置において、前記駆動部は、一端を前記油槽部に貯蔵された前記潤滑油に浸して前記油槽部から前記油塗布部材収納部へ渡り配置されたパイプ部材と、前記昇降体の昇降に伴って生じる風に応じて前記パイプ部材を通して前記油槽部の前記潤滑油を前記油塗布部材収納部へ供給する油供給手段とを含むことを特徴としている。
【００１１】
このように構成した本発明は、昇降体が昇降に伴って生じる風を受けると、油供給手段によってパイプ部材を通して油槽部の潤滑油を油塗布部材収納部へ供給することにより、油塗布部材収納部に収納される油塗布部材が昇降中常に潤滑油を含んでいる。そのため、昇降体が昇降することによって潤滑油で満たされた油塗布部材でガイドレールを万遍なく塗布することができるので、ガイドレールに確実に潤滑油を供給することができる。このように、ガイドレールから受ける摩擦力を利用することなく昇降機のガイドレールに潤滑油を供給することができ、昇降体が昇降中に振動したり、あるいは異常音を発生させることを従来よりも軽減することができる。
【００１２】
本発明に係る昇降機のガイドレール給油装置は、前記油供給手段は、前記パイプ部材内に配置されたロッドと、このロッドに巻き掛けられた螺旋部と、前記風を受けて前記ロッドを回転させるプロペラとを有することを特徴としている。
【００１３】
このように構成した本発明は、昇降体の昇降に伴って生じる風を受けてプロペラが回転し、ロッドに巻き掛けられた螺旋部が回転することにより、パイプ部材内を通して油槽部から油塗布部材収納部へ効率良く潤滑油を供給することができる。これにより、油塗布部材が乾燥することなく昇降中常に潤滑油を含むことができる。
【００１４】
本発明に係る昇降機のガイドレール給油装置は、前記油塗布部材収納部と前記油槽部とを仕切りを介して一体型としたホルダ部を有し、前記プロペラを前記ホルダ部の上方に配置すると共に、前記ロッドの上端部に取り付けたことを特徴としている。このように構成すると、油塗布部材収納部及び油槽部を容易に作成することができる。さらにこれら油塗布部材収納部及び油槽部が一体型となっているので、昇降体の上部に取付け及び取外しが簡単にでき、利便性が良い。
【００１５】
本発明に係る昇降機のガイドレール給油装置は、前記油塗布部材収納部と前記油槽部とを仕切りを介して一体型としたホルダ部を有し、前記プロペラを前記ホルダ部の投影面の側方に配置すると共に、前記プロペラの回転を前記ロッドに伝達する駆動伝達部を備えたことを特徴としている。
【００１６】
このように構成した本発明は、プロペラをホルダ部の投影面の側方に配置することにより、プロペラ近傍にある空気の流れを妨げることないので、プロペラが風を効率良く受けることができ、油槽部から油塗布部材収納部へ潤滑油を十分に補給することができる。
【発明の効果】
【００１７】
本発明の昇降機のガイドレール給油装置は、油槽部から油塗布部材収納部へ潤滑油を供給する駆動部が、一端を油槽部に貯蔵された潤滑油に浸して油槽部から油塗布部材収納部へ渡り配置されたパイプ部材と、昇降体の昇降に伴って生じる風に応じてパイプ部材を通して潤滑油を油槽部から油塗布部材収納部へ供給する油供給手段とを含んでいる。この昇降体が昇降に伴って生じる風を受けると、油供給手段を介して油槽部から油塗布部材収納部へ潤滑油が流れ、油塗布部材が昇降中常に潤滑油を含んだ状態を保つので、この油塗布部材でガイドレールを万遍なく確実に塗布することができる。このように、従来技術で必要とした摩擦力を利用することなく昇降機のガイドレールに潤滑油を供給することができ、昇降体が昇降中に振動したり、あるいは異常音を発生させることを軽減することができる。これにより、昇降機がエレベータの場合には乗りかご内の乗客の不快感を緩和し、サービス性を向上させることができる。
【図面の簡単な説明】
【００１８】
【図１】本発明に係る昇降機のガイドレール給油装置の第１実施形態の構成を示す図であり、（ａ）図は縦断面図、（ｂ）図は平面図である。
【図２】本発明に係る昇降機のガイドレール給油装置の第２実施形態の構成を示す図である。
【図３】従来のエレベータのガイドレール給油装置の構成を示す側面図である。
【発明を実施するための形態】
【００１９】
以下、本発明に係る昇降機のガイドレール給油装置を実施するための形態を図に基づいて説明する。
【００２０】
［第１実施形態］
図１に示すように、本発明に係る昇降機、例えばエレベータのガイドレール給油装置の第１実施形態は、昇降路内に立設されたガイドレール１と、このガイドレール１に案内されて昇降する図示しない昇降体、すなわち乗りかごとを備えたエレベータに適用される。本発明の第１実施形態は、潤滑油９を貯蔵する油槽部２ａと、ガイドレール１に摺接してこのガイドレール１の摺接面に潤滑油９を塗布する油塗布部材４を有する油塗布部材収納部２ｂと、油槽部２ａから油塗布部材収納部２ｂへ潤滑油９を供給する駆動部１ａとを備え、さらにこれら油塗布部材収納部２ｂと油槽部２ａとを仕切り３を介して一体型としたホルダ部２を有している。
【００２１】
駆動部１ａは、一端を油槽部２ａに貯蔵された潤滑油９に浸して油槽部２ａから油塗布部材収納部２ｂへ渡り配置されたパイプ部材５と、乗りかごの昇降に伴って生じる風８に応じてパイプ部材５を通して油槽部２ａの潤滑油９を油塗布部材収納部２ｂへ供給する油供給手段とを含んでいる。
【００２２】
この油供給手段は、パイプ部材５内に配置されたロッド６ａと、このロッド６ａに巻き掛けられた螺旋部６と、風８を受けてロッド６ａを回転させるプロペラ７とを有している。また本発明の第１実施形態では、このプロペラ７をホルダ部２の上方に配置し、ロッド６ａの上端部に取り付けている。
【００２３】
このように構成した本発明の第１実施形態は、乗りかごが昇降路内を昇降すると、この昇降に伴って生じる風８を受けてプロペラ７が回転する。そして、プロペラ７が回転することに伴ってロッド６ａに巻き掛けられた螺旋部６が回転することにより、油槽部２ａに貯蔵された潤滑油９がパイプ部材５を通って油塗布部材収納部２ｂへ供給され、油塗布部材４が常に潤滑油９で満たされる。このように、乗りかごが昇降することによって油塗布部材４でガイドレール１を塗布すると共に、この油塗布部材４が乾燥することなく常に潤滑油９で満たされた状態を実現することができるので、ガイドレール１に沿って潤滑油９を万遍なく供給することができる。これにより、ガイドレール１から受ける摩擦力を利用せずにガイドレール１に潤滑油９を供給することができるので、乗りかごが昇降中に振動したり、あるいは異常音を発生させることを軽減でき、乗りかご内の乗客の不快感を緩和し、サービス性を向上することができる。
【００２４】
また、本発明の第１実施形態は、油塗布部材収納部２ｂと油槽部２ａとを仕切り３を介して一体型としたホルダ部２を形成し、さらにプロペラ７をホルダ部２の上方に配置すると共に、ロッド６ａの上端部に取り付けることにより、駆動部１ａ、油塗布部材収納部２ｂ及び油槽部２ａを容易に作成することができ、また乗りかごの上部に取付け及び取外しを簡単に行うことができ、利便性が良い。
【００２５】
［第２実施形態］
図２は本発明に係る昇降機のガイドレール給油装置の第２実施形態の構成を示す図である。
【００２６】
図２に示すように、本発明の第２実施形態が前述した第１実施形態と異なるのは、このプロペラ７をホルダ部２の上方に配置するのではなく、プロペラ７をホルダ部２の投影面の側方に配置すると共に、プロペラ７の回転をロッド６ａに伝達するベルト等から成る駆動伝達部１０を備えたことであり、その他の構成は第１実施形態と同じである。
【００２７】
このように構成した本発明の第２実施形態によれば、乗りかごの昇降によってプロペラ７近傍にある空気の流れが妨げられないので、プロペラ７が風８を効率良く受けることができ、油槽部２ａから油塗布部材収納部２ｂへ潤滑油９を十分に補給することができる。これにより、油塗布部材４を確実に潤滑油７で満たすことができるので、装置の信頼性を高めることができる。
【符号の説明】
【００２８】
１  ガイドレール
１ａ  駆動部
２  ホルダ部
２ａ，１６  油槽部
２ｂ  油塗布部材収納部
３  仕切り
４  油塗布部材
５  パイプ部材
６  螺旋部
６ａ  ロッド
７  プロペラ
８  風
９  潤滑油
１０  駆動伝達部
１１  ガイドシュー
１２  摺動体
１３  アーム
１４  コネクティングロッド
１５  油弁
１７  ピン
１８  給油パイプ
２０  昇降体
２１  回転軸
２２  支持板
【図１】
2011020772.tif 000003
【図２】
2011020772.tif 000004
【図３】
2011020772.tif 000005